(57)【要約】【課題】  その内部に中仕切壁を有するドアパッキンを使用しても、加熱溶着付近からの庫内冷気の漏れや庫内圧の一時的な上昇による開閉扉の開放といった事態の発生を防止した冷却貯蔵庫を提供すること。【解決手段】  端面が斜め４５度に切断された部材２１１Ｐの端面（４５度切断面）付近にある中仕切壁２１２の一部１０が切除されていることから、当該部材２１１Ｐ同士を加熱溶着することにより四方形に形成されたドアパッキン内では、中仕切壁２１２が加熱溶着されることはなく、さらに、開閉扉が閉じられた際に中仕切壁２１２が変動しても、斜め４５度に切断された部材２１１Ｐの端面（４５度切断面）にまで、中仕切壁２１２の切除端１１が達することはない。従って、開閉扉が閉じられた際に、ドアパッキン内では、中仕切壁２１２同士が押し合ったり、引っ張り合ったりすることがない。【選択図】  図１
2006046852.tif 000002
【特許請求の範囲】
【請求項１】
本体と、前記本体の開口部に対して回動自在に設けられた開閉扉と、前記開閉扉の内側周縁部に密着されたドアパッキンと、前記ドアパッキンの内部を複数の空気室に隔絶する中仕切壁と、を有し、前記ドアパッキンの切断面同士が加熱溶着されることにより前記開閉扉の内側周縁部で前記ドアパッキンが環囲された状態にあり、前記開閉扉が閉じられた際には前記ドアパッキンが押圧されて前記本体に密着することにより前記本体の庫内が外部から密閉される冷却貯蔵庫において、
前記ドアパッキンの切断面付近にある前記中仕切壁の一部が切除されたことによって前記ドアパッキンの切断面同士が前記中仕切壁を除いて加熱溶着されたこと、を特徴とする冷却貯蔵庫。
【発明の詳細な説明】
【技術分野】
【０００１】
本発明は、冷却貯蔵庫の冷気が漏れることを防ぐためのドアパッキンの内部構造に関するものである。
【背景技術】
【０００２】
従来より、例えば、図４に示すように、冷却貯蔵庫１００では、本体１０１の開口部１０２に対して回動可能な開閉扉１０３が設けられており、この開閉扉１０３を介して、食品などの出し入れを行っている。また、開閉扉１０３の内側周縁部には、ドアパッキン１０４が密着するように設けられており、開閉扉１０３が閉じられると、ドアパッキン１０４が本体１０１の開口枠１０５に押し付けられることによって、本体１０１内（以下、「庫内」ともいう。）の冷気が外部に洩れないようにしている。
【０００３】
この点、冷却貯蔵庫１００のドアパッキン１０４の内部構造については、様々なものが提案されている（例えば、特許文献１参照）。
【特許文献１】特開平９−１４５２３５号公報
【０００４】
例えば、冷却貯蔵庫１００が冷蔵庫である場合には、庫内温度が５℃前後で室温との差が比較的小さいため、図４のドアパッキン１０４として、図５の断面図に示すような１つの空気室２０２を有するドアパッキン２０１を使用することがあり、このようなドアパッキン２０１を使用しても、庫内の冷熱がドアパッキン２０１内を通過しにくく、ドアパッキン２０１の庫外表面側に結露が発生することは殆どない。一方、冷却貯蔵庫１００が冷凍庫である場合には、庫内温度が−３０℃前後で室温との差が比較的大きいため、図４のドアパッキン１０４として、図５の断面図に示すような１つの空気室２０２を有するドアパッキン２０１を使用すると、庫内の冷熱がドアパッキン２０１内を通過し、ドアパッキン２０１の庫外表面側に結露が発生しやすくなる。
【０００５】
そこで、冷却貯蔵庫１００が冷蔵庫であるか冷凍庫であるかに関係なく、ドアパッキン１０４の外部側表面が結露することを回避するため、図４のドアパッキン１０４として、図６の断面図に示すように、中仕切壁２１２により複数の空気室２１３，２１４，２１５が設けられたドアパッキン２１１を使用し、複数の空気室２１３，２１４，２１５による多層の空気断熱により、庫内の冷熱がドアパッキン２１１内を通過しにくくして、ドアパッキン２１１の外部側表面が結露することを防いでいる。
【０００６】
尚、図５の符号２０３や図６の符号２１６は、図４のドアパッキン１０４として、ドアパッキン２０１，２１１を開閉扉１０３の内側周縁部に密着して設けるための突条部である。
【発明の開示】
【発明が解決しようとする課題】
【０００７】
もっとも、図４のドアパッキン１０４として使用されるドアパッキン２１１は、軟質ゴムからできた長尺状の形状を有しており、さらに、図７の平面図に示すように、端面が斜め４５度に切断された部材２１１Ｐの端面（４５度切断面）同士を加熱溶着することにより、図８の平面図に示すように、開閉扉１０３の内側周縁部に沿った四角形に形成されている。
【０００８】
そして、端面が斜め４５度に切断された部材２１１Ｐでは、図９の斜視図に示すように、中仕切壁２１２も外周壁２１７も一緒に斜め４５度に切断されるため、所定方向から力Ｆが作用して押圧されると、中仕切壁２１２が両側に膨らんだ形状をしていることもあって（図６参照）、図１０の正面図に示すように、斜め４５度に切断された部材２１１Ｐの端面（４５度切断面）から一方の中仕切壁２１２の一部２１２Ｓがはみ出すと同時に、斜め４５度に切断された部材２１１Ｐの端面（４５度切断面）から他方の中仕切壁２１２の一端が引っ込んでしまう。
【０００９】
この点、図４のドアパッキン１０４として使用されるドアパッキン２１１は、図７の平面図に示すように、端面が斜め４５度に切断された部材２１１Ｐの端面（４５度切断面）同士が、中仕切壁２１２も外周壁２１７も含めて（図９参照）、加熱溶着されており、さらに、開閉扉１０３が閉じられると、図９に示す力Ｆと同様な力が作用して押圧されることから、開閉扉１０３が閉じられると、図１１の平面図に示すように、ドアパッキン２１１の加熱溶着の内部では、斜め４５度に切断された部材２１１Ｐの端面（４５度切断面）からはみ出されるべき一方の中仕切壁２１２の一部２１２Ｓ同士が強く押し合うことになり、斜め４５度に切断された部材２１１Ｐの端面（４５度切断面）から引っ込むべき他方の中仕切壁２１２の一端同士が強く引っ張り合うことになる。
【００１０】
その結果、一方の中仕切壁２１２の一部２１２Ｓは、行き場を失って、ドアパッキン２１１の加熱溶着付近の一部を無造作に変形させる。また、他方の中仕切壁２１２の一端は、行き場を制限されて、ドアパッキン２１１の加熱溶着付近の無造作に変形させる。そのため、開閉扉１０３が閉じられても、ドアパッキン２１１の加熱溶着付近をうまく潰すことができず、ドアパッキン２１１を本体１０１の開口枠１０５に均等な力で押し付けることができないので、ドアパッキン２１１と本体１０１の開口枠１０５に隙間が生じて、庫内冷気の洩れにつながり、ドアパッキン２１１の外部側表面が結露することがあった。
【００１１】
また、一方の中仕切壁２１２の一部２１２Ｓが行き場を失って、ドアパッキン２１１の加熱溶着付近の一部が無造作に変形したり、他方の中仕切壁２１２の一端が行き場を制限されて、ドアパッキン２１１の加熱溶着付近の一部が無造作に変形したりすると、開閉扉１０３が閉じられても、ドアパッキン２１１を本体１０１の開口枠１０５に十分な力で押し付けることができず、例えば、庫内に取り付けられている冷却機に付着した霜取りの際に、ホットガス等により一時的に庫内が暖められ、庫内圧が上昇すると、押圧力の弱まった開閉扉１０３が開いてしまうことがあった。
【００１２】
以上の点は、図１１や図１２に示すように、中仕切壁２１２がどちらか一方の側に膨らんだ形状をしている場合でも、同様である。
【００１３】
例えば、図１２に示すように、両方の中仕切壁２１２が外側に膨らんだ形状をしている場合には、端面が斜め４５度に切断された部材２１１Ｐでは、図９の斜視図に示すように、中仕切壁２１２も外周壁２１７も一緒に斜め４５度に切断されるため、所定方向から力Ｆが作用して押圧されると、斜め４５度に切断された部材２１１Ｐの端面（４５度切断面）から両方の中仕切壁２１２の一端が引っ込んでしまう。
【００１４】
この点、図４のドアパッキン１０４として使用されるドアパッキン２１１は、図７の平面図に示すように、端面が斜め４５度に切断された部材２１１Ｐの端面（４５度切断面）同士が、中仕切壁２１２も外周壁２１７も含めて（図９参照）、加熱溶着されており、さらに、開閉扉１０３が閉じられると、図９に示す力Ｆと同様な力が作用して押圧されることから、開閉扉１０３が閉じられると、ドアパッキン２１１の加熱溶着の内部では、斜め４５度に切断された部材２１１Ｐの端面（４５度切断面）から引っ込むべき両方の中仕切壁２１２の一端同士が強く引っ張り合うことになる。
【００１５】
その結果、両方の中仕切壁２１２の一端は、行き場を制限されて、ドアパッキン２１１の加熱溶着付近の無造作に変形させる。そのため、開閉扉１０３が閉じられても、ドアパッキン２１１の加熱溶着付近をうまく潰すことができず、ドアパッキン２１１を本体１０１の開口枠１０５に均等な力で押し付けることができないので、ドアパッキン２１１と本体１０１の開口枠１０５に隙間が生じて、庫内冷気の洩れにつながり、ドアパッキン２１１の外部側表面が結露することがあった。
【００１６】
また、両方の中仕切壁２１２の一端が行き場を制限されて、ドアパッキン２１１の加熱溶着付近の一部が無造作に変形したりすると、開閉扉１０３が閉じられても、ドアパッキン２１１を本体１０１の開口枠１０５に十分な力で押し付けることができず、例えば、庫内に取り付けられている冷却機に付着した霜取りの際に、ホットガス等により一時的に庫内が暖められ、庫内圧が上昇すると、押圧力の弱まった開閉扉１０３が開いてしまうことがあった。
【００１７】
また、例えば、図１３に示すように、両方の中仕切壁２１２が内側に膨らんだ形状をしている場合には、、端面が斜め４５度に切断された部材２１１Ｐでは、図９の斜視図に示すように、中仕切壁２１２も外周壁２１７も一緒に斜め４５度に切断されるため、所定方向から力Ｆが作用して押圧されると、斜め４５度に切断された部材２１１Ｐの端面（４５度切断面）から両方の中仕切壁２１２の一部２１２Ｓがはみ出してしまう。
【００１８】
この点、図４のドアパッキン１０４として使用されるドアパッキン２１１は、図７の平面図に示すように、端面が斜め４５度に切断された部材２１１Ｐの端面（４５度切断面）同士が、中仕切壁２１２も外周壁２１７も含めて（図９参照）、加熱溶着されており、さらに、開閉扉１０３が閉じられると、図９に示す力Ｆと同様な力が作用して押圧されることから、開閉扉１０３が閉じられると、ドアパッキン２１１の加熱溶着の内部では、斜め４５度に切断された部材２１１Ｐの端面（４５度切断面）からはみ出されるべき両方の中仕切壁２１２の一部２１２Ｓ同士が強く押し合うことになる。
【００１９】
その結果、両方の中仕切壁２１２の一部２１２Ｓは、行き場を失って、ドアパッキン２１１の加熱溶着付近の一部を無造作に変形させる。そのため、開閉扉１０３が閉じられても、ドアパッキン２１１の加熱溶着付近をうまく潰すことができず、ドアパッキン２１１を本体１０１の開口枠１０５に均等な力で押し付けることができないので、ドアパッキン２１１と本体１０１の開口枠１０５に隙間が生じて、庫内冷気の洩れにつながり、ドアパッキン２１１の外部側表面が結露することがあった。
【００２０】
また、両方の中仕切壁２１２の一部２１２Ｓが行き場を失って、ドアパッキン２１１の加熱溶着付近の一部が無造作に変形したりすると、開閉扉１０３が閉じられても、ドアパッキン２１１を本体１０１の開口枠１０５に十分な力で押し付けることができず、例えば、庫内に取り付けられている冷却機に付着した霜取りの際に、ホットガス等により一時的に庫内が暖められ、庫内圧が上昇すると、押圧力の弱まった開閉扉１０３が開いてしまうことがあった。
【００２１】
そこで、本発明は、上述した点を鑑みてなされたものであり、その内部に中仕切壁を有するドアパッキンを使用しても、加熱溶着付近からの庫内冷気の漏れや庫内圧の一時的な上昇による開閉扉の開放といった事態の発生を防止した冷却貯蔵庫を提供することを課題とする。
【課題を解決するための手段】
【００２２】
この課題を解決するために成された請求項１に係る発明は、本体と、前記本体の開口部に対して回動自在に設けられた開閉扉と、前記開閉扉の内側周縁部に密着されたドアパッキンと、前記ドアパッキンの内部を複数の空気室に隔絶する中仕切壁と、を有し、前記ドアパッキンの切断面同士が加熱溶着されることにより前記開閉扉の内側周縁部で前記ドアパッキンが環囲された状態にあり、前記開閉扉が閉じられた際には前記ドアパッキンが押圧されて前記本体に密着することにより前記本体の庫内が外部から密閉される冷却貯蔵庫において、前記ドアパッキンの切断面付近にある前記中仕切壁の一部が切除されたことによって前記ドアパッキンの切断面同士が前記中仕切壁を除いて加熱溶着されたこと、を特徴としている。
【００２３】
尚、「冷却貯蔵庫」には、例えば、冷凍庫、冷蔵庫、又は冷凍庫と冷蔵庫を兼ね備えたもの等がある。
【発明の効果】
【００２４】
すなわち、本発明の冷却貯蔵庫では、ドアパッキンの切断面同士が加熱溶着されることにより開閉扉の内側周縁部でドアパッキンが環囲された状態にあるが、この点、ドアパッキンの切断面付近にある中仕切壁の一部が切除されていることから、ドアパッキン内では、中仕切壁が加熱溶着されることはなく、さらに、開閉扉が閉じられた際に、ドアパッキン内では、中仕切壁同士が強く押し合うことがなく、あるいは、中仕切壁同士が強く引っ張り合うことがなく、ドアパッキンを本体に均等且つ十分な力で押し付けることができるので、加熱溶着付近からの庫内冷気の漏れや庫内圧の一時的な上昇による開閉扉の開放といった事態の発生を防止することができる。
【発明を実施するための最良の形態】
【００２５】
以下、本発明の実施の形態を図面を参照にして説明する。本実施の形態の冷却貯蔵庫は、「背景技術」の欄で説明した冷却冷蔵庫１００と同一の構成を有するので、その各構成の具体的な説明は省略する。但し、本実施の形態では、図４のドアパッキン１０４として使用されるドアパッキン２１１における中仕切壁２１２が、「発明が解決しようとする課題」の欄で説明したものとは異なるので、その点について詳細に説明する。
【００２６】
すなわち、図４のドアパッキン１０４として使用されるドアパッキン２１１において、端面が斜め４５度に切断された部材２１１Ｐでは、図１の斜視図に示すように、中仕切壁２１２も外周壁２１７も一緒に斜め４５度に切断された後、中仕切壁２１２の一部１０が内方向に切除される。その切除幅は、当該部材２１１Ｐに対して所定方向から力Ｆ（図９参照）が作用して押圧されても、図１０の正面図とは異なって、斜め４５度に切断された部材２１１Ｐの端面（４５度切断面）から中仕切壁２１２の切除端１１（図１参照）がはみ出ない程度とされる。
【００２７】
以上より、本実施の形態の冷却貯蔵庫１００では、図４のドアパッキン１０４として使用されるドアパッキン２１１は、端面が斜め４５度に切断された部材２１１Ｐの端面（４５度切断面）同士が加熱溶着されることにより、開閉扉１０３の内側周縁部で環囲された状態にあるが（図８参照）、この点、図１に示すように、端面が斜め４５度に切断された部材２１１Ｐの端面（４５度切断面）付近にある中仕切壁２１２の一部１０が切除されていることから、ドアパッキン２１１内では、中仕切壁２１２が加熱溶着されることはなく、さらに、開閉扉１０３が閉じられた際に中仕切壁２１２が変動しても、斜め４５度に切断された部材２１１Ｐの端面（４５度切断面）にまで、中仕切壁２１２の切除端１１（図１参照）が達することはない。従って、開閉扉１０３が閉じられた際に、ドアパッキン２１１内では、中仕切壁２１２同士が押し合ったり引っ張り合ったりすることがなく、ドアパッキン２１１を本体１０１の開口枠１０５に均等且つ十分な力で押し付けることができるので、加熱溶着付近からの庫内冷気の漏れや庫内圧の一時的な上昇による開閉扉１０３の開放といった事態の発生を防止することができる。
【００２８】
また、ドアパッキン２１１内では、中仕切壁２１２が加熱溶着されることはないので、生産過程における溶着作業の工数低減となる。
【００２９】
もっとも、開閉扉１０３が閉じられた際に、ドアパッキン２１１内で中仕切壁２１２同士が押し合わないことは、複数の空気室２１３，２１４，２１５による空気の多層構造において空気の漏口を生じさせることなるが、この点、開閉扉１０３の内側周縁部で環囲された状態にあるドアパッキン２１１全体からすれば（図８参照）、僅かなものであり、複数の空気室２１３，２１４，２１５による多層の空気断熱の性能に影響を与えることは殆どない。
【００３０】
尚、本発明は上記実施の形態に限定されるものでなく、その趣旨を逸脱しない範囲で様々な変更が可能である。
例えば、図１２に示すように、両方の中仕切壁２１２が外側に膨らんだ形状をしている場合であっても、図１に示すように、端面が斜め４５度に切断された部材２１１Ｐの端面（４５度切断面）付近にある中仕切壁２１２の一部１０が切除されていれば、ドアパッキン２１１内では、中仕切壁２１２が加熱溶着されることはなく、さらに、開閉扉１０３が閉じられた際に中仕切壁２１２が変動しても、斜め４５度に切断された部材２１１Ｐの端面（４５度切断面）にまで、中仕切壁２１２の切除端１１（図１参照）が達することはない。従って、開閉扉１０３が閉じられた際に、ドアパッキン２１１内では、中仕切壁２１２同士が押し合ったり引っ張り合ったりすることがないので、上述した効果を発揮することができる。
【００３１】
また、図１３に示すように、両方の中仕切壁２１２が内側に膨らんだ形状をしている場合であっても、図１に示すように、端面が斜め４５度に切断された部材２１１Ｐの端面（４５度切断面）付近にある中仕切壁２１２の一部１０が切除されていれば、ドアパッキン２１１内では、中仕切壁２１２が加熱溶着されることはなく、さらに、開閉扉１０３が閉じられた際に中仕切壁２１２が変動しても、斜め４５度に切断された部材２１１Ｐの端面（４５度切断面）にまで、中仕切壁２１２の切除端１１（図１参照）が達することはない。従って、開閉扉１０３が閉じられた際に、ドアパッキン２１１内では、中仕切壁２１２同士が押し合ったり引っ張り合ったりすることがないので、上述した効果を発揮することができる。
【００３２】
また、本実施の形態では、図４のドアパッキン１０４として使用されるドアパッキン２１１において、開閉扉１０３が閉じられた際に中仕切壁２１２が変動しても、斜め４５度に切断された部材２１１Ｐの端面（４５度切断面）にまで、中仕切壁２１２の切除端１１（図１参照）が達することはないが、この点、開閉扉１０３が閉じられた際には、中仕切壁２１２の切除端１１（図１参照）同士が僅かながら当接するように、中仕切壁２１２の一部１０を内方向に切除すれば、開閉扉１０３が閉じられると、複数の空気室２１３，２１４，２１５による空気の多層構造において空気の漏口が塞がることになるので、複数の空気室２１３，２１４，２１５による多層の空気断熱の性能を維持させることができる。
【００３３】
また、本実施の形態では、図４のドアパッキン１０４として使用されるドアパッキン２１１において、中仕切壁２１２により複数の空気室２１３，２１４，２１５が設けられているが、この点、空気室の数は限定されるものでなく、何室あってもよい。
【００３４】
また、図４のドアパッキン１０４として、図２に示すドアパッキン２１を使用してもよい。このドアパッキン２１の特徴は、中仕切壁２２の上部がパッキン上面２３に達していない構造にあり、さらに、パッキン上面２３が、リブ形状でなく、平たくなっていることである。このようにすることで、パッキン上面２３が柔らかくなり、開閉扉１０３が閉じられた際に、本体１０１の開口枠１０５に密着するドアパッキン２１の性能が向上し、庫内の冷気漏れをより低減することができる。さらに、開閉扉１０３が閉じられた際には、図３に示すように、中仕切壁２２の上部がパッキン上面２３に達し、このドアパッキン２１の内部が３つの空気層に分割されるので、断熱性能を向上させることができる。また、このドアパッキン２１の密着性・断熱性が向上することで、冷却貯蔵庫１００としての性能もアップするし、このドアパッキン２１は、外部にヒレを設けて空気層を作るタイプでないことから、サイズが小さくてすみ、金型面やコスト面で有利である。
【産業上の利用可能性】
【００３５】
本発明は、冷却・冷凍機能を有する保存庫のドアパッキンに適用し得る。
【図面の簡単な説明】
【００３６】
【図１】ドアパッキンについて、その端面が斜め４５度に切断された部材の斜視図である。
【図２】開閉扉が開いている状態のドアパッキンの断面図である。
【図３】開閉扉が閉じている状態のドアパッキンの断面図である。
【図４】冷却貯蔵庫の斜視図である。
【図５】ドアパッキンの断面図である。
【図６】ドアパッキンの断面図である。
【図７】ドアパッキンについて、その端面が斜め４５度に切断された部材の端面（４５度切断面）同士を付き合わせる前の平面図である。
【図８】ドアパッキン全体の平面図である。
【図９】ドアパッキンについて、その端面が斜め４５度に切断された部材の斜視図である。
【図１０】ドアパッキンについて、その端面が斜め４５度に切断された部材の端面（４５度切断面）同士を付き合わせる前の状態で所定の力で押圧した際の平面図である。
【図１１】ドアパッキンについて、その端面が斜め４５度に切断された部材の端面（４５度切断面）同士を溶着した状態で所定の力で押圧した際の平面図である。
【図１２】ドアパッキンの断面図である。
【図１３】ドアパッキンの断面図である。
【符号の説明】
【００３７】
１０…中仕切壁の切除部、    １１…中仕切壁の切除端、  １００…冷却貯蔵庫、
１０１…本体、                １０２…開口部、          １０３…開閉扉、
１０４…ドアパッキン、        １０５…開口枠、           ２１１…ドアパッキン、
２１１Ｐ…ドアパッキンの部材、  ２１２…中仕切壁        ２１２Ｓ…中仕切壁の一部、
２１７…外周壁
【図１】
2006046852.tif 000003
【図２】
2006046852.tif 000004
【図３】
2006046852.tif 000005
【図４】
2006046852.tif 000006
【図５】
2006046852.tif 000007
【図６】
2006046852.tif 000008
【図７】
2006046852.tif 000009
【図８】
2006046852.tif 000010
【図９】
2006046852.tif 000011
【図１０】
2006046852.tif 000012
【図１１】
2006046852.tif 000013
【図１２】
2006046852.tif 000014
【図１３】
2006046852.tif 000015